(57)【要約】【課題】当たり投票券を取得した第三者が不正に払戻しできないようにするとともに、購入の際に取り忘れた釣銭や投票券を返却するときに本人確認を容易に行えるようにする。【解決手段】購入情報およびＩＤ情報を入力する操作部１５と、購入者のＩＤ情報をコード化し購入情報とともに投票券３０に印刷する印刷部１６と、投票券３０の前記コードを読み取る読取部２６と、購入代金を入金する入金部１７と、釣銭の出金および当たり投票券３０の払出しを行う出金部２７とを備え、前記コードから読み取ったＩＤ情報と、再度入力されたＩＤ情報とが一致したときは前記当たり投票券３０の払出しおよび釣銭の返却を行えるようにした。或いは、釣銭および投票券３０の取り忘れの有無をＩＤ情報とともに格納する記憶部１２を備え、記憶部１２のＩＤ情報と、再度入力されたＩＤ情報とが一致したときは釣銭および投票券３０の返却を行えるようにした。【選択図】図１
2011204063.tif 000002
【特許請求の範囲】
【請求項１】
購入情報およびＩＤ情報を入力する操作部と、
購入者のＩＤ情報をコード化し購入情報とともに投票券に印刷して発券する印刷部と、
投入された投票券の前記コードを読み取る読取部と、
購入代金を入金する入金部と、
釣銭の出金および当たり投票券の払出しを行う出金部と、
前記コードから読み取ったＩＤ情報と、再度入力されたＩＤ情報とを比較し、一致したときは前記当たり投票券の払出しおよび釣銭の返却を行えるようにしたことを特徴とする投票券発売機。
【請求項２】
釣銭および投票券の取り忘れの有無を購入時に入力されたＩＤ情報とともに格納する第１の記憶部を備え、
前記第１の記憶部のＩＤ情報と、再度入力されたＩＤ情報とを比較し、一致したときは釣銭および投票券の返却を行えるようにしたことを特徴とする請求項１記載の投票券発売機。
【請求項３】
あらかじめ決めた特定の購入条件の場合のみ、前記ＩＤ情報を入力するようにし、当該ＩＤ情報を投票券にコード化して印刷し、前記コードから読み取ったＩＤ情報と、再度入力されたＩＤ情報とを比較し、一致したときは前記当たり投票券の払戻しおよび釣銭の返却を行えるようにしたことを特徴とする請求項１記載の投票券発売機。
【請求項４】
前記特定の購入条件は、購入代金が所定の金額より高い場合または釣銭が所定の金額より高い場合としたことを特徴とする請求項３記載の投票券発売機。
【請求項５】
請求項１記載の投票券発売機と、第２の記憶部を有し前記投票券発売機とネットワークにより接続された管理サーバとからなり、
釣銭および投票券の取り忘れの有無を購入者のＩＤ情報とともに前記第２の記憶部に記憶し、前記第２の記憶部のＩＤ情報と、再度入力されたＩＤ情報とを比較し、一致したときは釣銭および投票券の返却を行えるようにしたことを特徴とする投票券発売システム。
【請求項６】
購入者が設定したＩＤ情報をコード化し購入情報とともに印刷したことを特徴とする投票券。
【発明の詳細な説明】
【技術分野】
【０００１】
本発明は、購入者が所望とする投票内容を設定して投票券を購入し、当該投票結果に応じた払戻しが可能な投票券発売機および投票券発売システムに関するものである。
【背景技術】
【０００２】
従来の投票券発売システムにおける投票券発売機では、顧客が所望とする投票情報を入力して購入する投票券には投票情報などの購入情報のみを印刷するようになっていた（例えば、特許文献１参照）。
【先行技術文献】
【特許文献】
【０００３】
【特許文献１】特開２０００−９９６０４号公報
【発明の概要】
【発明が解決しようとする課題】
【０００４】
しかしながら、上記従来の投票券発売システムでは、購入者が投票券を落としたり、盗難によって紛失し、これを不正に取得した第三者でも、当該投票券により払戻しができてしまうという問題があった。また、投票券の発券の際に釣銭や投票券をとり忘れた場合、取り忘れた釣銭や投票券を返却する際に本人確認が容易にできないという問題があった。
【課題を解決するための手段】
【０００５】
本発明は、前述の課題を解決するため次の構成を採用する。すなわち、購入情報およびＩＤ情報を入力する操作部と、購入者のＩＤ情報をコード化し購入情報とともに投票券に印刷して発券する印刷部と、投入された投票券の前記コードを読み取る読取部と、購入代金を入金する入金部と、釣銭の出金および当たり投票券の払出しを行う出金部と、前記コードから読み取ったＩＤ情報と、再度入力されたＩＤ情報とを比較し、一致したときは前記当たり投票券の払出しおよび釣銭の返却を行えるようにした。或いは、さらに、釣銭および投票券の取り忘れの有無を購入時に入力されたＩＤ情報とともに格納する第１の記憶部を備え、前記第１の記憶部のＩＤ情報と、再度入力されたＩＤ情報とを比較し、一致したときは釣銭および投票券の返却を行えるようにした。
【発明の効果】
【０００６】
本発明の投票券発売システムによれば、購入情報およびＩＤ情報を入力する操作部と、購入者のＩＤ情報をコード化し購入情報とともに投票券に印刷して発券する印刷部と、投入された投票券の前記コードを読み取る読取部と、購入代金を入金する入金部と、釣銭の出金および当たり投票券の払出しを行う出金部と、前記コードから読み取ったＩＤ情報と、再度入力されたＩＤ情報とを比較し、一致したときは前記当たり投票券の払出しおよび釣銭の返却を行えるようにし、或いは、さらに、釣銭および投票券の取り忘れの有無を購入時に入力されたＩＤ情報とともに格納する第１の記憶部を備え、前記第１の記憶部のＩＤ情報と、再度入力されたＩＤ情報とを比較し、一致したときは釣銭および投票券の返却を行えるようにしたので、第三者により不正な投票券の返却、釣銭の返却、および払戻しを確実に防止することができる。
【図面の簡単な説明】
【０００７】
【図１】実施例１の投票券発売システム構成図である。
【図２】実施例１の投票券発売システムの動作フローチャート図である。
【図３】実施例１の投票券発売システムにおける投票カードの例示図である。
【図４】実施例２の投票券発売システムの動作フローチャート図である。
【発明を実施するための形態】
【０００８】
以下、本発明に係わる実施の形態例を、図面を用いて説明する。図面に共通する要素には同一の符号を付す。なお、以下の説明では、射倖性を有する投票券を一例として説明するが、乗車券や航空券或いは鑑賞券等を発券するシステムにも本発明を適用することができる。
【実施例１】
【０００９】
（構成）
図１に実施例１の投票券発売システムの構成を示す。同図に示したように、実施例１の投票券発売システムは、１台または複数の投票券発売機１０が専用回線やＬＡＮ等のネットワークで接続される管理サーバ４０とからなる。
【００１０】
投票券発売機１０は、購入者が所望とする投票に応じて後述する図３の投票券３０を発売する投票券発売機能と、当たり投票券３０の払戻しとして金銭を支払う投票券払戻機能、取り忘れた釣銭や投票券３０を返却する機能等を有する。
【００１１】
そして、投票券発売機１０は、後述の各部を制御する制御部１１と、投票券３０を発売する際に各部を制御するプログラムや制御パラメータ、購入情報やＩＤ情報等を適宜格納する記憶部１２と、管理サーバ４０や適宜他の投票券発売機１０との通信を行う通信部１３と、表示部を有し投票の際の情報の入力などや当たり投票券３０の払戻しなどをする際の操作を行う操作部１５と、後述の購入者を識別可能なＩＤ情報をコード化した例えばＱＲコードにて購入情報とともに印刷する印刷部１６と、購入代金を入金する入金部１７と、前記ＱＲコードを読み取る読取部２６と、釣銭や払い戻す金銭を出金する出金部２７とから構成される。
【００１２】
管理サーバ４０は、制御部４１、投票券および釣銭の取り忘れの有無やＩＤ情報や購入情報などを格納する記憶部４２、および通信部４３を有する。
【００１３】
なお、ネットワークで接続しそれぞれの投票券発売機１０の記憶部１２に釣銭忘れや投票券忘れの情報をＩＤ情報とともに相互に記憶したり、特定の１台の投票券発売機１０の記憶部１２に他の投票券発売機１０の前記情報も記憶したりするようにすれば、管理サーバ４０を設けない構成としてもよい。また、１台の投票券発売機１０にて運用する場合には、通信部１３およびこれにより接続される管理サーバ４０のない構成としてもよい。
【００１４】
（動作）
以上の構成により実施例１の投票券発売システムは、以下のように動作する。この動作を図２の動作フローチャート図および図３の投票券３０の例示図を用いて以下詳細に説明する。
【００１５】
まず、購入者が、投票券３０を購入する購入取引、購入した投票券３０または釣銭を取り忘れて返却を要求する返却取引か、当たり投票券３０の払戻しを行う払戻し取引かの選択を操作部１５にて行う（ステップＳ０１）。
【００１６】
そして、購入者が購入取引を選択したときは、購入するレース番号や投票種類、購入数等の購入情報および購入者を識別可能なＩＤ情報として任意の文字列や数字からなるＩＤ情報や必要に応じてパスワードも入力する（ステップＳ０２）。
【００１７】
なお、ＩＤ情報の入力は、購入者のキャッシュカードやクレジットカード等の磁気カードやＩＣカードに格納された個人情報をそれぞれの磁気カード読取装置やＩＣカード読取装置により読み取るようにしてもよいし、マークシートにより投票券３０を購入する場合は、マークシート上にＩＤ情報をあらかじめ記載して、これを読み取るようにしてもよい。
【００１８】
そして、購入代金が入金部１７に入金されると、印刷部１６は制御部１１の制御により、ステップＳ０２にて購入者が入力した購入情報に基づいて、図３に示したように、投票内容を特定するレース場所３２、レース日３３、レース番号３４、投票種類３５、投票情報３６、購入金額３７を印刷するとともに、購入者のＩＤ情報が適宜購入情報とともに埋め込まれたＱＲコード３１を印刷して発券する（ステップＳ０３）。このとき、釣銭を出金部２７より出金する。
【００１９】
そして、所定の時間の間に投票券３０を購入者が取らないときは投票券３０の取り忘れと判定し（ステップＳ０４）、投票券３０を投票券発売機１０内に取り込む（ステップＳ０５）。
【００２０】
そして、所定の時間の間に釣銭を購入者が取らないときは釣銭の取り忘れと判定し（ステップＳ０６）、釣銭を投票券発売機１０内に取り込む（ステップＳ０７）。
【００２１】
そして、購入情報や購入者のＩＤ情報、投票券３０や釣銭の取り忘れの有無などを通信部１３にて管理サーバ４０または他の投票券発売機１０に送信し（ステップＳ０８）、これを受信した管理サーバ４０または他の投票券発売機１０は管理サーバ４０の記憶部４１または投票券発売機１０の記憶部１２に格納して、本処理を終了する。
【００２２】
なお、１台の投票券発売機１０にて運用する場合は、購入情報や購入者ＩＤ、投票券３０や釣銭の取り忘れの有無などを自らの投票券発売機１０の記憶部１２に格納すればよい。
【００２３】
一方、ステップＳ０１にて、投票券３０を購入する購入取引ではないときは、購入したときのＩＤ番号や適宜パスワードを入力する（ステップＳ１０）。このとき、ＩＤ情報の入力は購入者の磁気カードやＩＣカード或いはＩＤ情報を記入したマークシートを投入するようにしてもよい。
【００２４】
そして、購入した投票券３０を取り忘れて返却を要求するときは（ステップＳ１１）、ステップＳ１０にて入力されたＩＤ情報と投票券３０を取り忘れた購入者のＩＤ情報を管理サーバ４０の記憶部４１または投票券発売機１０の記憶部１２より取得して比較し、一致するかどうかを判定し（ステップＳ１２）、一致したときは、当該投票券３０を返却し（ステップＳ１３）、一致しないときは、不一致の旨のメッセージを操作部１５に表示して本処理を終了する。
【００２５】
なお、投票券３０を発売した投票券発売機１０とは異なる投票券発売機１０にて投票券３０の返却が要求されたときは、再度、ＩＤ情報と適宜購入情報とが含まれたＱＲコード３１を印刷して再発行すればよい。
【００２６】
或いはさらに、釣銭も取り忘れて返却が要求されたときは（ステップＳ１４）、ステップＳ１０にて入力されたＩＤ情報と釣銭を取り忘れた購入者のＩＤ情報を管理サーバ４０の記憶部４１または投票券発売機１０の記憶部１２より取得して比較し、一致するかどうかを判定し（ステップＳ１５）、一致したときは、当該釣銭を返却し（ステップＳ１６）、一致しないときは、不一致の旨のメッセージを操作部１５に表示して本処理を終了する。
【００２７】
このとき、釣銭を取り忘れた購入者のＩＤ情報は管理サーバ４０の記憶部４１または投票券発売機１０の記憶部１２より取得するのではなく、購入者が所持する投票券３０を投入させ、当該投票券３０のＱＲコード３１を読取部２６にて読み取るようにしてもよいし、管理サーバ４０の記憶部４１または投票券発売機１０の記憶部１２からの情報とあわせて比較するようにしてもよい。
【００２８】
なお、投票券３０を発売した投票券発売機１０とは異なる投票券発売機１０にて釣銭の返却が要求されたときは出金部２７より再度出金すればよい。
【００２９】
或いはさらに、当たり投票券３０の払戻しを行う払戻し取引が選択されたときは（ステップＳ１７）、購入者が所持する投票券３０を投入させ、当該投票券３０のＱＲコードを読取部２６にて読み取り、ステップＳ１０にて入力されたＩＤ情報と比較して一致するかどうかを判定し（ステップＳ１８）、一致したときは、投入された投票券３０に応じた払戻しを行い出金部２７より出金する（ステップＳ１９）。
【００３０】
このとき、投票券３０を発売した投票券発売機１０とは異なる投票券発売機１０にて払戻し要求があっても出金部２７より当該払戻金を出金すればよい。
【００３１】
そして、ステップＳ１３にて取り忘れた投票券３０の返却をしたときは再発行済みの旨を管理サーバ４０または他の投票券発売機１０に送信し、ステップＳ１６にて取り忘れた釣銭の返却をしたときは釣銭返却済みの旨を管理サーバ４０または他の投票券発売機１０に送信し、ステップＳ１９にて払戻しをしたときは払戻しを完了した旨を管理サーバ４０または他の投票券発売機１０に送信して（ステップＳ０８）、本処理を終了する。
【００３２】
（実施例１の効果）
以上のように実施例１の投票券発売システムによれば、購入者が個人を識別するＩＤ情報を入力可能としＱＲコードにより投票券に印刷するとともに、管理サーバまたは他の投票券発売機に投票券および釣銭の取り忘れの有無を当該ＩＤ情報とともに送信して記憶し、投票券の返却、釣銭の返却および払戻しの際に、再度入力されたＩＤ情報と、前記ＱＲコードから読み取ったＩＤ情報または前記記憶したＩＤ情報とを比較して本人確認するようにしたので、第三者による不正な投票券の返却、釣銭の返却および払戻しを確実に防止することができる。
【実施例２】
【００３３】
（構成）
実施例２の投票券発売システムおよび投票券３０の構成は実施例１と同様であるので、簡略化のためにその詳細な説明は省略する。
【００３４】
（動作）
上記構成により実施例２の投票券発売システムは以下のように動作する。この動作を図４の動作フローチャート図を用いて以下詳細に説明する。なお、ステップＳ３１〜ステップＳ３５以外は実施例１とほぼ同様であるので、同様のステップは説明を簡略化する。
【００３５】
まず、購入者が、投票券３０を購入する購入取引、購入した投票券３０または釣銭を取り忘れて返却を要求する返却取引か、当たり投票券３０の払戻しを行う払戻し取引かの選択を操作部１５にて行う（ステップＳ０１）。
【００３６】
そして、購入者が購入取引を選択したときは、購入するレース番号や投票種類、購入数等の購入情報を入力する（ステップＳ３１）。
【００３７】
次に、購入者が入力した購入情報から、購入代金が所定の金額以上の取引の場合など、例えば、購入の総計が１０万円以上となる場合、高額取引と判定し購入者を識別可能なＩＤ番号や適宜パスワードのＩＤ情報の入力要と判定し（ステップＳ３２）、ＩＤ情報の入力画面を表示してＩＤ情報を入力させる（ステップＳ３３）。
【００３８】
なお、ＩＤ情報は、購入者のキャッシュカードやクレジットカード等の磁気カードやＩＣカードに格納された個人情報をそれぞれの磁気カード読取装置やＩＣカード読取装置により読み取るようにしてもよいし、マークシートにより投票券３０を購入する場合は、マークシート上にＩＤ情報を記載してこれを読み取るようにしてもよいことは実施例１と同様である。
【００３９】
そして、購入代金が入金部１７に入金されると、印刷部１６は制御部１１の制御により、ステップＳ３１にて購入者が入力した購入情報に基づいて、図３に示したように、投票内容を特定する情報を印刷するとともに、ステップＳ３３にて入力した購入者のＩＤ情報を適宜購入情報とともに埋め込んだＱＲコード３１を印刷して発券する（ステップＳ０３）。このとき、釣銭を出金部２７より出金する。
【００４０】
そして、所定の時間の間に投票券３０を購入者が取らないときは投票券３０の取り忘れと判定し投票券３０を投票券発売機１０内に取り込み、所定の時間の間に釣銭を購入者が取らないときは釣銭の取り忘れと判定し釣銭を投票券発売機１０内に取り込み、購入情報や購入者のＩＤ情報、投票券３０や釣銭の取り忘れの有無などを通信部１３にて管理サーバ４０または他の投票券発売機１０に送信し、これを受信した管理サーバ４０または他の投票券発売機１０は管理サーバ４０の記憶部４１または投票券発売機１０の記憶部１２に格納して、本処理を終了する（ステップＳ０４〜Ｓ０８）。
【００４１】
一方、ステップＳ０１にて、投票券３０を購入する購入取引ではなく、釣銭の返却、払戻しの場合、投票券３０を投入させる（ステップＳ３４）。なお、投票券３０の取り忘れの場合は、投票券３０を所持していないため、本ステップはスキップする。
【００４２】
そして、投入された投票券３０に印刷された取引金額３７またはＱＲコード３１にコード化された取引金額情報が前述の所定の金額以上であったときは、ＩＤ情報の入力要と判定する（ステップＳ３５）。なお、投票券３０の取り忘れの場合は、投票券３０を所持しておらず取引金額が不明なため、ＩＤ情報入力要と判定する。
【００４３】
そして、ＩＤ情報の入力要と判定されたときは、購入したときのＩＤ情報を入力する（ステップＳ１０）。このときＩＤ情報の入力は購入者が所有する磁気カードやＩＣカード或いはＩＤ情報を記入したマークシートを投入するようにしてもよいことは実施例１と同様である。
【００４４】
そして、購入した投票券３０を取り忘れて返却を要求するときは、ステップＳ１０にて入力されたＩＤ情報と投票券３０を取り忘れた購入者のＩＤ情報を管理サーバ４０の記憶部４１または投票券発売機１０の記憶部１２より取得し比較し一致するかどうかを判定し、一致したときは、当該投票券３０を返却し、一致しないときは、不一致の旨のメッセージを操作部１５に表示して本処理を終了する（ステップＳ１１〜ステップＳ１３）。
【００４５】
なお、投票券３０を発売した投票券発売機１０とは異なる投票券発売機１０にて投票券３０の返却が要求されたときは、再度、ＩＤ情報と適宜購入情報が含まれたＱＲコード３１を印刷して再発行すればよいことは実施例１と同様である。
【００４６】
或いは、釣銭を取り忘れて返却が要求されたときで、ステップＳ１０にてＩＤ情報が入力されたときは、入力されたＩＤ情報と釣銭を取り忘れた購入者のＩＤ情報を管理サーバ４０の記憶部４１または投票券発売機１０の記憶部１２より取得し比較し一致するかどうかを判定し、一致したときは当該釣銭を返却し、一致しないときは、不一致の旨のメッセージを操作部１５に表示して本処理を終了する（ステップＳ１４〜Ｓ１６）。
【００４７】
このとき、釣銭を取り忘れた購入者のＩＤ情報を管理サーバ４０の記憶部４１または投票券発売機１０の記憶部１２より取得するのではなく、購入者が所持する投票券３０を投入させ、当該投票券３０のＱＲコードを読取部２６にて読み取るようにしてもよいし、管理サーバ４０の記憶部４１または投票券発売機１０の記憶部１２からの情報とあわせて比較するようにしてもよいは実施例１と同様である。なお、投票券３０を発売した投票券発売機１０とは異なる投票券発売機１０にて釣銭の返却が要求されたときは、出金部２７より再度出金すればよい。
【００４８】
或いはさらに、当たり投票券３０の払戻しを行う払戻し取引が選択されたときは、購入者が所持する投票券３０を投入させ、当該投票券３０のＱＲコードを読取部２６にて読み取り、ステップＳ１０にてＩＤ情報が入力されたときは入力されたＩＤ情報と比較、一致するかどうかを判定し、一致したときは、投入された投票券３０に応じた払戻しを行い出金部２７より出金する（ステップＳ１７〜Ｓ１９）。このとき、投票券３０を発売した投票券発売機１０とは異なる投票券発売機１０にて払戻し要求があっても、出金部２７より当該払戻金を出金すればよい。
【００４９】
そして、ステップＳ１３にて取り忘れた投票券３０の返却をしたときは再発行済みの旨を管理サーバ４０または他の投票券発売機１０に送信し、ステップＳ１６にて取り忘れた釣銭の返却をしたときは釣銭返却済みの旨を管理サーバ４０または他の投票券発売機１０に送信し、ステップＳ１９にて払戻しをしたときは払戻しを完了した旨を管理サーバ４０または他の投票券発売機１０に送信して（ステップＳ０８）、本処理を終了する。
【００５０】
なお、以上の実施例の説明では、ステップ３２、Ｓ３５にて購入代金が所定の金額より高い場合のみ、前記ＩＤ情報を入力するようにし、当該ＩＤ情報を投票券にコード化して印刷し、前記コードから読み取ったＩＤ情報と、再度入力されたＩＤ情報とを比較し、一致したときは前記釣銭の返却および当たり投票券の払戻しを行う例を説明したが、ＩＤ情報による本人確認が必要な投票券である旨を所定のフラッグ等にて前記コードに含ませて印刷し、当該コードからフラッグを読み取り、その結果に基づいてＩＤ情報による本人確認を行うか否かを判定するようにしてもよい。
【００５１】
また、以上の実施例の説明では、購入代金が所定の金額より高い場合のみＩＤ情報の入力要と判定するように説明したが、ステップＳ３１の購入情報の入力時に購入代金を投入させ、釣銭が所定の額以上となった場合にＩＤ情報の入力要と判定するようにしてもよい。
【００５２】
（実施例２の効果）
以上のように実施例２の投票券発売システムによれば、購入代金や釣銭が所定の金額より高い場合のみ、前記ＩＤ情報を入力するようにし、当該ＩＤ情報を投票券にコード化して印刷し、前記コードから読み取ったＩＤ情報と、再度入力されたＩＤ情報とを比較し、一致したときは前記釣銭の返却および当たり投票券の払戻しを行えるようにしたので、購入代金や釣銭が少なく本人確認の必要がないときはＩＤ情報の入力操作を省略することができ、操作時間を短縮させることができる。
【００５３】
《その他の変形例》
以上の実施例の説明では、投票券３０に購入者のＩＤ情報をコード化したＱＲコード３１を印刷するように説明したが、ＩＤ情報が容易に視認されなければ、通常のバーコードなどを印刷するようにしてもよい。
【００５４】
また、以上の実施例の説明では、投票券３０に印刷するＱＲコード３１等の生成方法について詳細に説明しなかったが、所定の暗号化を施して生成し、印刷するようにするとなおよい。
【００５５】
また、以上の実施例の説明では、投票券発売機能と投票券払戻機能を有する投票券発売機１０として説明したが、それぞれの機能を別の装置とし、投票券３０を発売する機能を有する投票券発売装置と、当たり投票券３０の払戻しをして当該金銭を支払う機能を有する投票券払戻装置と、をそれぞれ設け、これらの投票券発売装置と投票券払戻装置をネットワークにて管理サーバ４０と接続する構成としてもよいし、投票券発売装置と投票券払戻装置同士をネットワークにて接続する構成としてもよい。
【産業上の利用可能性】
【００５６】
以上述べたように、本発明は、購入者が所望とする投票内容を設定して投票券を購入し、当該投票結果に応じた払戻しが可能な投票券発売機１０および投票券発売システムに広く用いることができる。
【符号の説明】
【００５７】
１０  投票券発売機
１１、２１  制御部
１２、２２  記憶部
１３、２３  通信部
１５、２５  操作部
１６  印刷部
１７  入金部
２６  読取部
２７  出金部
４０  管理サーバ
【図１】
2011204063.tif 000003
【図２】
2011204063.tif 000004
【図３】
2011204063.tif 000005
【図４】
2011204063.tif 000006